(57)【特許請求の範囲】
【請求項１】
文字情報が表示された複数の操作ボタンと、前記操作ボタンが操作され選択された回数に関する情報を数量情報として、前記文字情報と関連付けて前記操作ボタンに表示する表示部と、
機器の動きを検出する検出部と、
前記検出部の検出出力から、前記機器が重力方向に動かされたことが検出されると、前記操作ボタンに拡大文字で文字情報を表示するように表示制御を行うとともに、前記検出部が検出する機器の動きに応じて前記数量情報を表示する位置を変化させずに、前記文字情報を表示する位置を変化させる表示制御を行う表示制御部と
を備える電子機器。
【請求項２】
前記表示制御部は、前記検出部の検出出力から、前記機器が左右に動かされたことが検出されると、前記機器の左右の動きに応じて、前記文字情報を前詰め又は後詰めで表示する
請求項１に記載の電子機器。
【請求項３】
前記表示制御部は、前記検出部の検出出力から、前記機器が右下または左下の回転方向に回転されたことが検出されると、前記機器の右下または左下の回転方向の動きに応じて、前記文字情報を前詰め又は後詰めで表示する
請求項１または請求項２に記載の電子機器。
【請求項４】
前記文字情報は、メニューの名称を示すメニュー情報であり、
前記数量情報は、注文数である
請求項１から請求項３のいずれか１項に記載の電子機器。
【発明の詳細な説明】
【技術分野】
【０００１】
本発明は、電子機器に関する。
【背景技術】
【０００２】
近年、レストラン、居酒屋、カラオケ店など飲食物を提供する店舗では、スタッフが客から受けた注文をハンディターミナルと称される注文端末装置に入力し、入力された注文を注文端末装置から注文管理装置に送信する注文管理システムが提案されている。このような注文端末装置では、タッチパネル表示部が注文端末装置本体に設けられており、このタッチパネル表示部にメニュー名のボタンが表示される。スタッフは、客からの注文を聞いて、オーダーに応じたメニュー名のボタンをタッチすることで、注文メニューを登録する。通常、注文端末装置は、持ちやすさを考えて、縦長方向に持つことを基本として、画面デザインが考えられている。また、選択可能なメニューを多く表示できることを考慮し、メニュー名を横書きにして、メニュー名のボタンを縦に一列に並べる方式が多く採用されている。
【０００３】
また、特許文献１には、表示画像中の文字の大きさを自動的に所定の大きさの文字に変更するものが記載されている。
【先行技術文献】
【特許文献】
【０００４】
【特許文献１】特開２０１４−１０６７６９号公報
【発明の概要】
【発明が解決しようとする課題】
【０００５】
上述のように、通常、注文端末装置は、縦長方向で操作することを基本としており、メニュー名を横書きにして、メニュー名ボタンを縦に一列に並べる方式が採用されている。注文端末装置の大きさには制限があることから、選択可能なメニューを多く表示するためには、メニュー名ボタンを小さくすることが有利である。
【０００６】
しかしながら、メニュー名ボタンを小さくすると、メニュー名ボタンの文字が小さくなり、表示が見づらくなるという問題が生じてくる。特に、遠視や老眼等、目の障害を持つ使用者にとって、小さい文字は読みにくい。このような使用者からは、メニュー名の文字を大きくしてほしいという要望が強い。なお、このような問題は、注文入力装置に限らず起こり得る。例えば、多くの情報から入力したい情報を選択して入力させる機能を搭載した電子機器や、入力ボタン等の入力部の数が少ない電子機器や、タッチパネル等の入力部の面積が小さい電子機器等で同様な問題が起こり得る。
【０００７】
上述の課題を鑑み、本発明は、容易な操作で、操作ボタンの文字表示の大きさを拡大して表示できる電子機器を提供することを目的とする。
【課題を解決するための手段】
【０００８】
上述の課題を鑑み、本発明の一態様に係る電子機器は、文字情報が表示された複数の操作ボタンと、前記操作ボタンが操作され選択された回数に関する情報を数量情報として、前記文字情報と関連付けて前記操作ボタンに表示する表示部と、機器の動きを検出する検出部と、前記検出部の検出出力から、前記機器が重力方向に動かされたことが検出されると、前記操作ボタンに拡大文字で文字情報を表示するように表示制御を行うとともに、前記検出部が検出する機器の動きに応じて前記数量情報を表示する位置を変化させずに、前記文字情報を表示する位置を変化させる表示制御を行う表示制御部とを備える。
【０００９】
また、本発明の他の態様に係る電子機器において、前記表示制御部は、前記検出部の検出出力から、前記機器が左右に動かされたことが検出されると、前記機器の左右の動きに応じて、前記文字情報を前詰め又は後詰めで表示する。
【００１０】
また、本発明の他の態様に係る電子機器において、前記表示制御部は、前記検出部の検出出力から、前記機器が右下または左下の回転方向に回転されたことが検出されると、前記機器の右下または左下の回転方向の動きに応じて、前記文字情報を前詰め又は後詰めで表示する。
【００１３】
また、本発明の他の態様に係る電子機器において、前記文字情報は、メニューの名称を示すメニュー情報であり、前記数量情報は、注文数である。
【発明の効果】
【００１４】
本発明によれば、容易な操作で、操作ボタンの文字表示の大きさを拡大して表示できる。
【図面の簡単な説明】
【００１５】
【図１】本発明実施形態に係る注文管理システムの概略構成図である。
【図２】本実施形態に係る注文端末装置の概略のブロック図である。
【図３】本実施形態に係る注文端末装置の外観構成を示す図である。
【図４】本実施形態に係る注文端末装置の外観構成を示す図である。
【図５】本実施形態でのメニュー入力画面での表示を示す図である。
【図６】本実施形態での機器の動きの説明図である。
【図７】本実施形態での表示制御を示すフローチャートである。
【図８】本実施形態での注文確認画面での表示を示す図である。
【発明を実施するための形態】
【００１６】
以下、本発明の実施の形態について図面を参照しながら説明する。図１は、本実施形態に係る注文管理システム１の概略構成図である。図１に示すように、注文管理システム１は、注文端末装置１０−１〜１０−ｎ（ｎは１以上の整数）、無線中継装置２０−１〜２０−ｍ（ｍは１以上の整数）、注文管理装置４０、及び伝票出力装置５０−ｏ（ｏは１以上の整数）を備えている。無線中継装置２０と注文管理装置４０とは、ネットワーク３０を介して接続されている。ここで、ネットワーク３０は、ＬＡＮ（Ｌｏｃａｌ  Ａｒｅａ  Ｎｅｔｗｏｒｋ）等の有線ネットワークである。なお、ネットワーク３０は、無線ネットワークであってもよい。
【００１７】
以下の説明において、注文端末装置１０−１〜１０−ｎを特定しない場合、注文端末装置１０という。無線中継装置２０−１〜２０−ｍを特定しない場合、無線中継装置２０という。伝票出力装置５０−ｏを特定しない場合、伝票出力装置５０という。
【００１８】
注文端末装置１０は、無線中継装置２０、ネットワーク３０を介して注文管理装置４０と通信を行う。注文端末装置１０は、スタッフが各種の入力キーにより入力又は選択された情報を検出し、検出した情報を無線中継装置２０、ネットワーク３０を介して注文管理装置４０へ送信する。注文端末装置１０が送信する情報は、客の人数や卓の情報、および、注文された商品番号、商品名、その数量用の情報である。無線中継装置２０は、注文端末装置１０が送信した情報を受信し、受信した情報を、ネットワーク３０を介して注文管理装置４０に送信する。また、無線中継装置２０は、ネットワーク３０を介して注文管理装置４０が送信した調理指示伝票情報や、会計伝票情報を受信し、受信した伝票情報を伝票出力装置５０に送信する。
【００１９】
注文管理装置４０は、無線中継装置２０及びネットワーク３０を介して、注文端末装置１０からの情報を受信する。注文管理装置４０は、受信した情報を自装置内に記憶させる。
【００２０】
伝票出力装置５０は、注文管理装置４０から受信した情報に応じて、調理指示伝票や、客が支払いを行うための伝票を発行する。伝票出力装置５０は、例えばプリンタやディスプレイ装置である。
【００２１】
図２は、本実施形態に係る注文端末装置１０の概略のブロック図である。図２に示すように、注文端末装置１０は、ＣＰＵ（中央演算処理装置）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、不揮発性メモリ１０４、表示部１０５、タッチパネル入力部１０６、通信制御部１０７、及び加速度センサ１０８を備えている。
【００２２】
ＣＰＵ１０１は、ＲＯＭ１０２が記憶する制御プログラムと、ＲＡＭ１０３及び不揮発性メモリ１０４が記憶する各種情報を読み出し、読み出した制御プログラムと各種情報とに基づいて各部の制御を行う。また、ＣＰＵ１０１は、必要な情報をＲＡＭ１０３及び不揮発性メモリ１０４に記憶させる。ＣＰＵ１０１は、バスを介して注文端末装置１０が備える各部と互いにデータの入出力が可能な状態で接続している。
【００２３】
ＲＯＭ１０２は、ＣＰＵ１０１が用いる制御プログラムを記憶する記憶領域である。ＲＡＭ１０３は、ＣＰＵ１０１が用いる情報を記憶する一時記憶領域である。不揮発性メモリ１０４は、ＣＰＵ１０１が用いる情報を記憶する記憶領域である。不揮発性メモリ１０４としては、フラッシュメモリ等が用いられる。
【００２４】
表示部１０５は、ＣＰＵ１０１の制御に応じて各種情報を表示する。表示部１０５は、例えば液晶ディスプレイ、有機ＥＬ（Ｅｌｅｃｔｒｏｌｕｍｉｎｅｓｃｅｎｃｅ）ディスプレイである。タッチパネル入力部１０６は、表示部１０５上に積層配置されている。タッチパネル入力部１０６は、使用者が押下した座標位置や動きを検出して、各種の入力を行う。表示部１０５及びタッチパネル入力部１０６により、タッチパネル表示部１１０が構成される。
【００２５】
通信制御部１０７は、ＣＰＵ１０１から出力された入力情報を無線中継装置２０に送信する。また、通信制御部１０７は、無線中継装置２０から受信した信号をＣＰＵ１０１に出力する。
【００２６】
加速度センサ１０８は、例えば、三軸加速度センサからなり、注文端末装置１０の三方向の動きを検出し、この検出情報をＣＰＵ１０１に出力する。また、加速度センサ１０８は、重力方向の加速度を検出することで、重力方向に対する機器の方向を検知できる。
【００２７】
図３は、注文端末装置（電子機器）１０の外観構成を示す。図３に示すように、注文端末装置１０は、使用者が持ちやすいように、矩形で小型の形状をしている。注文端末装置１０の前面の略全面に渡って、タッチパネル表示部１１０が設けられる。タッチパネル表示部１１０は、表示部１０５にタッチパネル入力部１０６を積層配置して構成されている。タッチパネル表示部１１０には、各種の文字やアイコン、ボタン等が表示され、使用者がタッチパネル表示部１１０をタッチすることで、各種の入力が行える。
【００２８】
レストランや居酒屋のスタッフは、注文端末装置１０を携帯して客のテーブルに行き、客からの注文を聞き、注文端末装置１０に注文を入力する。手順としては、スタッフは、まず、テーブル番号、人数等のヘッダー情報を入力する。そして、お客からの注文を聞き、メニューを入力する。メニュー入力を行ったら、スタッフは、注文の確認を行い、注文管理装置４０に、データを転送する。これらの操作は、上述のように、タッチパネル表示部１１０に各種の文字やアイコン、ボタン等を表示し、タッチパネル表示部１１０を指で操作することで行うことができる。
【００２９】
図４は、本実施形態でのメニュー入力画面での表示を示すものである。なお、タッチパネル表示部１１０の形状は、注文端末装置１０の前面の形状に対応しており、その縦方向の長さと、横方向の長さが異なっている。以下の説明では、図４に示すように、注文端末装置１０を縦長で使用したときの上側をＡ側、下側をＢ側、左側をＣ側、右側をＤ側としている。Ａ側に沿って延びる方向及びＢ側に沿って延びる方向に平行な方向が短手方向、Ｃ側に沿って延びる方向及びＤ側に沿って延びる方向に平行な方向が長手方向となる。
【００３０】
図４に示すように、注文端末装置１０は、通常、縦長方向で使用される。このときの状態は、Ａ側からＢ側の向きが重力方向となり、長手方向が重力方向となる。以下、このように、Ａ側からＢ側の向きが重力方向となる方向（縦長方向）をＡ−Ｂ方向と称する。
【００３１】
また、図４に示すように、メニュー入力画面では、タッチパネル表示部１１０には、戻るボタン１２１、メニューボタン１２２、編集ボタン１２３、分類ボタン１２４、メニュー名ボタン１２５、確認ボタン１２６が表示される。戻るボタン１２１は、前の画面に戻るボタンである。メニューボタン１２２は、メニュー入力画面を表示するボタンである。編集ボタン１２３は、編集を行うときのボタンである。分類ボタン１２４は、メニューの分類を選択するボタンである。メニュー名ボタン１２５は、注文を行う各メニューに対応するボタンである。確認ボタン１２６は、注文確認画面を表示するボタンである。
【００３２】
レストランや居酒屋のスタッフは、注文端末装置１０を持って客のテーブルに行き、テーブル番号や人数等のヘッダー情報を入力する。そして、メニューボタン１２２を押して、分類の一覧を表示し、分類ボタン１２４により特定の分類を選択して、図４に示すような、メニュー入力画面を表示させる。なお、この例は、分類として、飲み物を選択したときの表示例である。
【００３３】
図５は、本実施形態でのメニュー入力画面での表示を示すものである。図５（Ａ）に示すように、注文端末装置１０には、複数のメニュー名ボタン１２５が縦に一列に並べて配置され、各メニュー名ボタン１２５は、「オレンジジュース」、「グレープフルーツジュース」、「アップルジュース」等、注文するメニューに対応する文字が表示される。スタッフは、お客の注文に応じてメニュー名ボタン１２５をタッチすることで、メニュー入力が行える。
【００３４】
ここで、メニュー名ボタン１２５上に表示されているメニュー名のフォントは、通常フォントになっている。本実施形態では、注文端末装置１０を一定速度以上で、重力方向に振るようにすることで、メニュー名ボタン１２５に表示されるメニュー名のフォントを拡大フォントに変更できる。すなわち、図６は、機器の動きの説明図である。図６（Ａ）に示すように、注文端末装置１０のタッチパネル表示部１１０の表示面を地面に対して平行に置いて重力方向に動かしたときに、地面に近づく方向をＰ方向とし、地面から離れる方向をＱ方向とすると、注文端末装置１０を一定速度以上で、Ｐ方向又はＱ方向に振ることで、メニュー名のフォントが拡大フォントに変更される。これは、使用者が一般的に注文端末装置１０を使用しているときを想定すると、使用者がタッチパネル表示部１１０に目を近づける方向がＱ方向、タッチパネル表示部１１０から目を遠ざける方向がＰ方向と想定される。したがって、老眼や遠視の使用者が注文端末装置１０のタッチパネル表示部１１０から目を遠ざけたり、近視の使用者が注文端末装置１０のタッチパネル表示部１１０から目を近づけたりするような直感的な操作で、メニュー名のフォントが拡大フォントに変更されることになる。
【００３５】
また、本実施形態では、図６（Ｂ）に示すように注文端末装置１０を右方向（Ｒ方向）に振る、または、図６（Ｄ）に示すように注文端末装置１０を右下の回転方向に回転させるようにすることで、メニュー名ボタン１２５に表示されるメニュー名を、末尾の文字を基準にした後詰め表示にすることができる。また、図６（Ｃ）に示すように、注文端末装置１０を左方向（Ｌ方向）に振る、または、図６（Ｅ）に示すように注文端末装置１０を左下の回転方向に回転させるようにすると、メニュー名ボタン１２５に表示されるメニュー名は、先頭の文字を基準にした前詰め表示になる。
【００３６】
つまり、図５（Ａ）に示したように、注文端末装置１０を縦長方向で使用するときには、メニュー名ボタン１２５には、「オレンジジュース」から「紅茶」までのメニュー名が通常フォントかつ横書きで表示される。また、このときには、メニュー名は、先頭の文字を基準にした前詰めで表示される。
【００３７】
ここで、注文端末装置１０を重力方向に振るようにすると、図５（Ｂ）に示すように、メニュー名ボタン１２５には、「オレンジジュース」から「紅茶」までのメニュー名が拡大フォントで表示される。このとき、文字を拡大フォントに変更したことで、末尾の文字が表示されないことがある。すなわち、メニュー名ボタン１２５の表示領域に収めることができる文字数を通常フォントで１２文字とし、拡大フォントで８文字とした場合、「グレープフルーツジュース」は１２文字なので、拡大フォントに変更すると、メニュー名ボタン１２５の表示領域に収まらなくなる。この場合、メニュー名の先頭の文字を基準にして表示を行うと、先頭から８文字の「グレープフルーツ」だけが表示される。したがって、図５（Ｂ）では、「グレープフルーツジュース」となるべきメニュー名が「グレープフルーツ」の表示となっている。
【００３８】
本実施形態では、注文端末装置１０を右方向に振る、または、注文端末装置１０を右下の回転方向に回転させるようにすることで、図５（Ｄ）に示すように、メニュー名ボタン１２５に表示されるメニュー名のフォントを末尾の文字を基準として後詰めに表示させることができる。メニュー名の末尾の文字を基準にして表示を行うと、「グレープフルーツジュース」のメニュー名では、末尾から８文字の「フルーツジュース」だけが表示されるようになる。したがって、図５（Ｄ）では、「グレープフルーツジュース」となるべきメニュー名が「フルーツジュース」の表示となる。これにより、小さい文字を見づらい使用者であっても、注文端末装置１０を重力方向に振ってから、注文端末装置１０を右方向に振るようにすることで、メニュー名を認識し易くすることができる。すなわち、例えば、「グレープフルーツジュース」のメニュー名が読みにくい場合には、注文端末装置１０を重力方向に振るようにしてから、注文端末装置１０を右方向に振るようにすれば、「グレープフルーツ」の表示に続けて、「フルーツジュース」の表示を読むことができ、「グレープフルーツジュース」であることを認識することができる。
【００３９】
なお、本実施形態では、図５（Ａ）に示したようなメニュー名を通常フォントで表示している状態から、注文端末装置１０を右方向に振る、または、注文端末装置１０を右下の回転方向に回転させるようにすることで、図５（Ｃ）に示すように、メニュー名ボタン１２５に表示されるメニュー名のフォントを、末尾を基準にした後詰めに表示させることができる。このため、通常フォントでも、メニュー名ボタン１２５の領域に入りきらないような長いメニュー名の場合でも、メニュー名が認識しやすくなる。また、どの状態からも、注文端末装置１０を左方向に振る、または、図６（Ｅ）に示すように注文端末装置１０を左下の回転方向に回転させる、または、左右にシャッフルすれば、図５（Ａ）に示すように、メニュー名ボタン１２５に表示されるメニュー名のフォントを、先頭を基準にした前詰め表示に戻すことができる。
【００４０】
なお、メニュー名を前詰めから後詰めにする場合には、すぐに後詰めで表示してもよく、文字が一定速度で左側に流れることで後詰め表示に移行するようにしてもよい。また、メニュー名を後詰めから前詰めにする場合には、すぐに前詰めで表示してもよく、文字が一定速度で右側に流れることで前詰め表示に移行するようにしてもよい。
【００４１】
図７は、本実施形態での表示制御を示すフローチャートである。
（ステップＳ２０１）初期状態では、ＣＰＵ１０１は、通常フォントかつ前詰めで、メニュー名ボタン１２５にメニュー名を表示させ、ステップＳ２０２の処理に進む。
（ステップＳ２０２）ＣＰＵ１０１は、加速度センサ１０８の値を取得し、その後、ステップＳ２０３の処理に進む。
（ステップＳ２０３）ＣＰＵ１０１は、加速度センサ１０８の検出値を基に、注文端末装置１０の動きの方向と速度を検出し、ステップＳ２０４の処理に進む。
【００４２】
（ステップＳ２０４）ＣＰＵ１０１は、注文端末装置１０に所定速度以上のＰ又はＱ方向の動きがあるか否かを判定する。注文端末装置１０に所定速度以上のＰ又はＱ方向（重力方向）の動きがある場合には（ステップＳ２０４：Ｙｅｓ）、ＣＰＵ１０１は、ステップＳ２０５の処理に進む。注文端末装置１０に所定速度以上のＰ又はＱ方向の動きがない場合には（ステップＳ２０４：Ｎｏ）、ＣＰＵ１０１は、ステップＳ２０６の処理に進む。
【００４３】
（ステップＳ２０５）ＣＰＵ１０１は、拡大フォントに変更して、メニュー名ボタン１２５にメニュー名を表示させる。その後、ＣＰＵ１０１は、ステップＳ２０２の処理に戻る。
【００４４】
（ステップＳ２０６）ＣＰＵ１０１は、注文端末装置１０に所定速度以上のＲ方向（右方向）の動きがあるか否かを判定する。注文端末装置１０に所定速度以上のＲ方向の動きがある場合には（ステップＳ２０６：Ｙｅｓ）、ＣＰＵ１０１は、ステップＳ２０７の処理に進む。注文端末装置１０に所定速度以上のＲ方向の動きがない場合には（ステップＳ２０６：Ｎｏ）、ＣＰＵ１０１は、ステップＳ２０８の処理に進む。
（ステップＳ２０７）ＣＰＵ１０１は、メニュー名の末尾を基準にした後詰め表示に変更し、その後、ステップＳ２０２の処理に戻る。
【００４５】
（ステップＳ２０８）ＣＰＵ１０１は、注文端末装置１０に所定速度以上のＬ方向（左方向）の動きがあるか否かを判定する。注文端末装置１０に所定速度以上のＬ方向の動きがある場合には（ステップＳ２０８：Ｙｅｓ）、ＣＰＵ１０１は、ステップＳ２０９の処理に進む。注文端末装置１０に所定速度以上のＬ方向の動きがない場合には（ステップＳ２０８：Ｎｏ）、ＣＰＵ１０１は、ステップＳ２１０の処理に進む。
【００４６】
（ステップＳ２０９）ＣＰＵ１０１は、メニュー名の先頭を基準にした前詰め表示に変更し、その後、ステップＳ２０２の処理に戻る。
【００４７】
（ステップＳ２１０）ＣＰＵ１０１は、注文端末装置１０に所定速度以上の右下の回転方向の動きがあるか否かを判定する。注文端末装置１０に所定速度以上の右下の回転方向の動きがある場合には（ステップＳ２１０：Ｙｅｓ）、ＣＰＵ１０１は、ステップＳ２１１の処理に進む。注文端末装置１０に所定速度以上の右下の回転方向の動きがない場合には（ステップＳ２１０：Ｎｏ）、ＣＰＵ１０１は、ステップＳ２１２の処理に進む。
（ステップＳ２１１）ＣＰＵ１０１は、メニュー名の末尾を基準にした後詰め表示に変更し、その後、ステップＳ２０２の処理に戻る。
【００４８】
（ステップＳ２１２）ＣＰＵ１０１は、注文端末装置１０に所定速度以上の左下の回転方向の動きがあるか否かを判定する。注文端末装置１０に所定速度以上の左下の回転方向の動きがある場合には（ステップＳ２１２：Ｙｅｓ）、ＣＰＵ１０１は、ステップＳ２１３の処理に進む。注文端末装置１０に所定速度以上の左下の回転方向の動きがない場合には（ステップＳ２１２：Ｎｏ）、ＣＰＵ１０１は、ステップＳ１４０の処理に進む。
【００４９】
（ステップＳ２１３）ＣＰＵ１０１は、メニュー名の先頭を基準にした前詰め表示に変更し、その後、ステップＳ２０２の処理に戻る。
（ステップＳ２１４）ＣＰＵ１０１は、注文端末装置１０に所定速度以上のランダムな振動の動き（シャッフルに相当する）があるか否かを判定する。注文端末装置１０に所定速度以上のランダムな振動の動きがある場合には（ステップＳ２１４：Ｙｅｓ）、ＣＰＵ１０１は、ステップＳ２０１の処理に戻る。注文端末装置１０に所定速度以上のランダムな振動の動きがない場合には（ステップＳ２１４：Ｎｏ）、ＣＰＵ１０１は、ステップＳ２０２の処理に戻る。
【００５０】
次に、注文確認画面について説明する。前述したように、メニュー入力を行った後、スタッフが確認ボタン１２６をクリックすると、図８に示すような注文確認画面となる。注文確認画面でも、メニュー入力画面の場合と同様に、注文端末装置１０を重力方向に振ることで、メニュー名が拡大フォントに変更される。また、注文端末装置１０を右方向に振ることで、メニュー名の末尾を基準にした後詰め表示に変更される。
【００５１】
図８は、本実施形態での注文確認画面での表示を示すものである。図８（Ａ）に示すように、注文端末装置１０を縦長方向で使用するときには、複数のメニュー名ボタン１３５は、縦に一列に並べて配置される。各メニュー名ボタン１３５には、「和風ハンバーグ」、「グレープフルーツジュース」、「サーロインステーキ」等、注文したメニューに対応する文字が表示される。また、メニュー名ボタン１３５には、注文数（メニュー名ボタン１３５が操作・選択された数量）が表示される。
【００５２】
ここで、注文端末装置１０を重力方向に振るようにすると、図８（Ｂ）に示すように、メニュー名ボタン１３５には、「和風ハンバーグ」、「グレープフルーツジュース」、「サーロインステーキ」等のメニュー名が通常より拡大フォントで表示される。この場合、メニュー名の先頭の文字を基準にして表示を行うため、「グレープフルーツジュース」となるべきメニュー名が「グレープフルー」の表示となり、また、「サーロインステーキ」となるべきメニュー名が「サーロインステ」の表示となる。
【００５３】
注文端末装置１０を右方向に振る、または、注文端末装置１０を右下の回転方向に回転させるようにすることで、図８（Ｄ）に示すように、メニュー名ボタン１３５に表示されるメニュー名のフォントを末尾の文字を基準に後詰めで表示させることができる。メニュー名の末尾の文字を基準にして後詰めで表示を行うと、「グレープフルーツジュース」のメニュー名では、「グレープフルーツジュース」となるべきメニュー名が「ルーツジュース」の表示となり、また、「サーロインステーキ」となるべきメニュー名が「ロインステーキ」の表示となる。これにより、小さい文字を見づらい使用者であっても、メニュー名を認識し易くすることができる。すなわち、例えば、「グレープフルーツジュース」のメニュー名が読みにくい場合には、注文端末装置１０を重力方向に振るようにしてから、注文端末装置１０を右方向に振るようにすれば、「グレープフルーツ」の表示に続けて、「フルーツジュース」の表示を読むことができ、「グレープフルーツジュース」であることを認識することができる。
【００５４】
なお、メニュー名を前詰めから後詰めにする場合には、すぐに後詰めで表示してもよく、文字が一定速度で左側に流れることで後詰め表示に移行するようにしてもよい。また、メニュー名を後詰めから前詰めにする場合には、すぐに前詰めで表示してもよく、文字が一定速度で右側に流れることで前詰め表示に移行するようにしてもよい。
【００５５】
なお、注文管理システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。
【００５６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５７】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５８】
１・・・注文管理システム、１０・・・注文端末装置、４０・・・注文管理装置、５０・・・伝票出力装置、１０１・・・ＣＰＵ、１１０・・・タッチパネル表示部、１２５・・・メニュー名ボタン
【図１】
0006598211.tif 000002
【図２】
0006598211.tif 000003
【図３】
0006598211.tif 000004
【図４】
0006598211.tif 000005
【図５】
0006598211.tif 000006
【図６】
0006598211.tif 000007
【図７】
0006598211.tif 000008
【図８】
0006598211.tif 000009